(57)【要約】【課題】  操作の利便性を向上させることができる電子機器、その電子機器におけるフォーカス表示方法及びそのプログラムを提供すること。【解決手段】  例えばユーザの操作によって、途中までコンテンツを再生し、電源を切断した場合であって、次に電源を投入した場合には、再生選択メニュー画面１７０を表示させ、「途中から再生」をフォーカス表示１６２させるように制御する。これにより、ユーザがその途中からコンテンツを再生する場合には、ユーザは先頭から再生するか途中から再生するかを考慮する必要がなくなり、そのフォーカス表示された項目を決定するだけでよい。その結果、ユーザにとってわかりやすく便利になる上、電子機器を野外等で用いる場合に、機器の操作数を従来に比べ減らすことができる。【選択図】  図２５
2005142942.tif 000002
【特許請求の範囲】
【請求項１】
コンテンツを先頭から再生するための先頭再生、または、前記コンテンツを途中から再生するための途中再生のいずれかを選択させるための再生選択メニューを表示可能な表示部と、
前記表示部に前記コンテンツを表示して再生するための再生手段と、
前記再生選択メニューのうちいずれか１つを選択させるために前記表示部上でフォーカス表示するフォーカス手段と、
前記再生手段によりコンテンツが再生されている途中における電源の切断命令に基づき、再生途中のコンテンツの途中位置の情報を記憶して電源を切断する手段と、
前記電源が投入された場合であって前記途中位置の情報が記憶されているとき、前記表示部に前記再生選択メニューを表示させ、前記フォーカス手段により前記途中再生をフォーカス表示させるように制御する制御部と
を具備することを特徴とする電子機器。
【請求項２】
請求項１に記載の電子機器であって、
前記電源が投入されたとき、前記途中位置の情報が記憶されているか否かを判断し、前記途中位置の情報が記憶されていないと判断した場合に、前記表示部に前記再生選択メニューを表示させ、前記フォーカス手段により前記先頭再生をフォーカス表示させるように制御することを特徴とする電子機器。
【請求項３】
請求項１に記載の電子機器であって、
前記コンテンツの再生位置または再生時間を示すためのカウンタ表示を前記再生選択メニューとともに前記表示部に表示させるカウンタ手段をさらに具備することを特徴とする電子機器。
【請求項４】
請求項１に記載の電子機器であって、
前記制御部が前記途中再生をフォーカス表示させるように制御した場合、当該途中位置のコンテンツの画像を、前記再生選択メニューとともに前記表示部に表示させる手段をさらに具備することを特徴とする電子機器。
【請求項５】
請求項１に記載の電子機器であって、
前記表示部は、前記コンテンツのタイトルを示すためのタイトルメニューを表示可能であり、
前記コンテンツの再生位置または再生時間を示すためのカウンタ表示を前記タイトルメニューとともに前記表示部に表示させるカウンタ手段をさらに具備することを特徴とする電子機器。
【請求項６】
コンテンツの再生及びその停止を制御する再生制御手段と、
前記コンテンツを先頭から再生するための先頭再生、または、前記コンテンツを途中から再生するための途中再生のいずれかを選択させるための再生選択メニューと、前記再生制御手段により前記コンテンツが再生されたときの該コンテンツとを表示可能な表示部と、
前記再生選択メニューのうちいずれか１つを選択させるために前記表示部上でフォーカス表示するフォーカス手段と、
前記再生制御手段により前記コンテンツの再生が途中で停止されたことに基づき、前記再生選択メニューを前記表示部に表示させ、前記フォーカス手段により前記途中再生をフォーカス表示させるように制御する制御部と
を具備することを特徴とする電子機器。
【請求項７】
コンテンツを先頭から再生するための先頭再生、または、前記コンテンツを途中から再生するための途中再生のいずれかを選択させるための再生選択メニューを表示部に表示するステップと、
前記再生選択メニューのうちいずれか１つを選択させるために前記表示部上でフォーカス表示するステップと、
前記再生選択メニューでフォーカス表示された前記コンテンツを再生するステップと、
前記コンテンツが再生されている途中での電源の切断命令に基づき、再生途中のコンテンツの途中位置の情報を記憶して電源を切断するステップと、
前記電源が投入された場合であって前記途中位置の情報が記憶されているとき、前記表示部に前記再生選択メニューを表示させ、前記途中再生をフォーカス表示させるステップと
を具備することを特徴とするフォーカス表示方法。
【請求項８】
コンテンツを先頭から再生するための先頭再生、または、前記コンテンツを途中から再生するための途中再生のいずれかを選択させるための再生選択メニューを表示部に表示するステップと、
前記再生選択メニューのうちいずれか１つを選択させるために前記表示部上でフォーカス表示するステップと、
前記再生選択メニューでフォーカス表示された前記コンテンツを再生するステップと、
前記コンテンツの再生を途中で停止するステップと、
前記コンテンツの再生が途中で停止されたことに基づき、前記再生選択メニューを前記表示部に表示させ、前記途中再生をフォーカス表示させるステップと
を具備することを特徴とするフォーカス表示方法。
【請求項９】
コンテンツを先頭から再生するための先頭再生、または、前記コンテンツを途中から再生するための途中再生のいずれかを選択させるための再生選択メニューを表示部に表示するステップと、
前記再生選択メニューのうちいずれか１つを選択させるために前記表示部上でフォーカス表示するステップと、
前記再生選択メニューでフォーカス表示された前記コンテンツを再生するステップと、
前記コンテンツが再生されている途中での電源の切断命令に基づき、再生途中のコンテンツの途中位置の情報を記憶して電源を切断するステップと、
前記電源が投入された場合であって前記途中位置の情報が記憶されているとき、前記表示部に前記再生選択メニューを表示させ、前記途中再生をフォーカス表示させるステップと
をコンピュータに実行させるプログラム。
【請求項１０】
コンテンツを先頭から再生するための先頭再生、または、前記コンテンツを途中から再生するための途中再生のいずれかを選択させるための再生選択メニューを表示部に表示するステップと、
前記再生選択メニューのうちいずれか１つを選択させるために前記表示部上でフォーカス表示するステップと、
前記再生選択メニューでフォーカス表示された前記コンテンツを再生するステップと、
前記コンテンツの再生を途中で停止するステップと、
前記コンテンツの再生が途中で停止されたことに基づき、前記再生選択メニューを前記表示部に表示させ、前記途中再生をフォーカス表示させるステップと
をコンピュータに実行させるプログラム。
【発明の詳細な説明】
【技術分野】
【０００１】
本発明は、動画や音声等のコンテンツを再生することができる電子機器、その電子機器におけるフォーカス表示方法及びそのプログラムに関する。
【背景技術】
【０００２】
従来から、テレビ放送等のコンテンツを録画して再生する装置として、ハードディスクドライブ（ＨＤＤ：Hard Disk Drive）を内蔵したものが製品化されている。この装置は、ＨＤＤにコンテンツを記録し保存するものである。
【０００３】
このようなＨＤＤ録画装置では、例えば、録画しＨＤＤで保存したコンテンツのタイトルの一覧を示すメニュー画面をテレビ等のモニターに表示することができる。このタイトルメニュー画面において、ユーザが例えばリモコン等で所望のコンテンツを選択することで録画されたコンテンツを再生することができる。タイトルメニュー画面においてユーザにより所望のコンテンツが選択され、決定ボタンが押されると、サブメニュー画面を表示する。サブメニュー画面では、当該ユーザにより選択されたコンテンツを最初から再生するか、途中から再生するかを選択させることができる。途中から再生する場合とは、具体的には、ユーザが前回再生を途中で停止した場合に、その途中から再生する場合である（例えば、非特許文献１参照。）。
【０００４】
なお、この非特許文献１は、http://www.sony.jp/ServiceArea/impdf/（出願日現在）のページでダウンロードできる。
【非特許文献１】チャンネルサーバーCSV-E77の取扱説明書
【発明の開示】
【発明が解決しようとする課題】
【０００５】
しかしながら、上記非特許文献１に記載の装置は、サブメニュー画面において、ユーザは、最初から再生または途中から再生をリモコン等により選択しなければならないという不便がある。例えば、ユーザが、前回コンテンツを途中まで鑑賞して停止したことを忘れてしまう場合もある。このような場合には、ユーザは最初から再生を選択していいのか、途中から再生していいのか困惑する可能性がある。
【０００６】
また、一方で、例えばコンテンツを再生するための機器が小型化された場合であって、ユーザがその機器を屋外で持ち運んで用いる場合には、少しでもその機器に対するボタンの操作数を減らし、操作の手間を省くことが望まれる。特に、屋外ではボタンの操作数が多いと面倒であり、操作の間違いも起こりやすくなる。
【０００７】
以上のような事情に鑑み、本発明の目的は、操作の利便性を向上させることができる電子機器、その電子機器におけるフォーカス表示方法及びそのプログラムを提供することにある。
【課題を解決するための手段】
【０００８】
上記目的を達成するために、本発明に係る電子機器は、コンテンツを先頭から再生するための先頭再生、または、前記コンテンツを途中から再生するための途中再生のいずれかを選択させるための再生選択メニューを表示可能な表示部と、前記表示部に前記コンテンツを表示して再生するための再生手段と、前記再生選択メニューのうちいずれか１つを選択させるために前記表示部上でフォーカス表示するフォーカス手段と、前記再生手段によりコンテンツが再生されている途中における電源の切断命令に基づき、再生途中のコンテンツの途中位置の情報を記憶して電源を切断する手段と、前記電源が投入された場合であって前記途中位置の情報が記憶されているとき、前記表示部に前記再生選択メニューを表示させ、前記フォーカス手段により前記途中再生をフォーカス表示させるように制御する制御部とを具備する。
【０００９】
本発明では、例えばユーザの操作によって、途中までコンテンツを再生し、電源を切断した場合であって、次に電源を投入した場合には、再生選択メニューを表示させ途中再生をフォーカス表示させるように制御する。これにより、ユーザがその途中からコンテンツを再生する場合には、ユーザは先頭から再生するか途中から再生するかを考慮する必要がなくなり、そのフォーカス表示された項目を決定するだけでよい。その結果、ユーザにとってわかりやすく便利になる上、例えば電子機器を屋外等で用いる場合に、機器の操作数を従来に比べ減らすことができる。
【００１０】
また、コンテンツが複数ある場合に、電子機器は、それぞれのコンテンツの再生状態（先頭から再生か、途中から再生か）を覚えている。具体的には、あるコンテンツ（例えば、第１のコンテンツとする。）の再生を途中停止し、第１のコンテンツとは別の第２のコンテンツを再生した場合であっても、本発明では、第１及び第２のコンテンツのそれぞれの再生状態を覚えている。これにより、例えばユーザが上記第２のコンテンツの再生を途中で停止し、または第２のコンテンツの再生が終了して自動停止した場合に、第１のコンテンツを途中から再生することができるので、利便性を向上させることができる。
【００１１】
本発明の一の形態によれば、前記電源が投入されたとき、前記途中位置の情報が記憶されているか否かを判断し、前記途中位置の情報が記憶されていないと判断した場合に、前記表示部に前記再生選択メニューを表示させ、前記フォーカス手段により前記先頭再生をフォーカス表示させるように制御する。このように、途中位置の情報が記憶されていない場合には、先頭再生をフォーカス表示させることにより、ユーザは、そのコンテンツが前回に途中で再生停止したものではないということを把握することができる。
【００１２】
本発明の一の形態によれば、前記コンテンツの再生位置または再生時間を示すためのカウンタ表示を前記再生選択メニューとともに前記表示部に表示させるカウンタ手段をさらに具備する。これにより、再生選択メニューにおいて、ユーザはそのコンテンツの途中再生の位置または途中の時間を把握することができ便利である。
【００１３】
本発明の一の形態によれば、前記制御部が前記途中再生をフォーカス表示させるように制御した場合、当該途中位置のコンテンツの画像を、前記再生選択メニューとともに前記表示部に表示させる手段をさらに具備する。これにより、再生選択メニューにおいて、ユーザは再生途中で停止したときの画像を把握することができ便利である。
【００１４】
本発明の一の形態によれば、前記表示部は、前記コンテンツのタイトルを示すためのタイトルメニューを表示可能であり、前記コンテンツの再生位置または再生時間を示すためのカウンタ表示を前記タイトルメニューとともに前記表示部に表示させるカウンタ手段をさらに具備する。これにより、タイトルメニューにおいて、ユーザはそのコンテンツの途中再生の位置または途中の時間を把握することができ便利である。特に、タイトルメニューに複数のコンテンツのタイトルを表示させている場合には、カウンタ手段により、それぞれのコンテンツについてカウンタ表示させるようにすれば、ユーザにとってわかりやすくなり、利便性を向上させることができる。
【００１５】
本発明の他の観点に係る電子機器は、コンテンツの再生及びその停止を制御する再生制御手段と、前記コンテンツを先頭から再生するための先頭再生、または、前記コンテンツを途中から再生するための途中再生のいずれかを選択させるための再生選択メニューと、前記再生制御手段により前記コンテンツが再生されたときの該コンテンツとを表示可能な表示部と、前記再生選択メニューのうちいずれか１つを選択させるために前記表示部上でフォーカス表示するフォーカス手段と、前記再生制御手段により前記コンテンツの再生が途中で停止されたことに基づき、前記再生選択メニューを前記表示部に表示させ、前記フォーカス手段により前記途中再生をフォーカス表示させるように制御する制御部とを具備する。
【００１６】
本発明では、例えばユーザの操作によって、コンテンツを再生し途中で再生を停止した場合には、再生選択メニューを表示させ途中再生をフォーカス表示させるように制御する。これにより、ユーザがその途中からコンテンツを再生する場合には、先頭から再生するか途中から再生するかを考慮する必要がなくなり、そのフォーカス表示された項目を決定するだけでよい。その結果、ユーザにとってわかりやすく便利になる上、例えば電子機器を屋外等で用いる場合に、機器の操作数を減らすことができる。
【００１７】
本発明に係るフォーカス表示方法は、コンテンツを先頭から再生するための先頭再生、または、前記コンテンツを途中から再生するための途中再生のいずれかを選択させるための再生選択メニューを表示部に表示するステップと、前記再生選択メニューのうちいずれか１つを選択させるために前記表示部上でフォーカス表示するステップと、前記再生選択メニューでフォーカス表示された前記コンテンツを再生するステップと、前記コンテンツが再生されている途中での電源の切断命令に基づき、再生途中のコンテンツの途中位置の情報を記憶して電源を切断するステップと、前記電源が投入された場合であって前記途中位置の情報が記憶されているとき、前記表示部に前記再生選択メニューを表示させ、前記途中再生をフォーカス表示させるステップとを具備する。
【００１８】
本発明では、電源を投入した場合には、再生選択メニューを表示させ途中再生をフォーカス表示させるようにしたので、ユーザは先頭から再生するか途中から再生するかを考慮する必要がなくなり、そのフォーカス表示された項目を決定するだけでよい。その結果、ユーザにとってわかりやすく便利になる上、例えば屋外ではその操作数を減らすことができる。
【００１９】
本発明の他の観点に係るフォーカス表示方法は、コンテンツを先頭から再生するための先頭再生、または、前記コンテンツを途中から再生するための途中再生のいずれかを選択させるための再生選択メニューを表示部に表示するステップと、前記再生選択メニューのうちいずれか１つを選択させるために前記表示部上でフォーカス表示するステップと、前記再生選択メニューでフォーカス表示された前記コンテンツを再生するステップと、前記コンテンツの再生を途中で停止するステップと、前記コンテンツの再生が途中で停止されたことに基づき、前記再生選択メニューを前記表示部に表示させ、前記途中再生をフォーカス表示させるステップとを具備する。
【００２０】
本発明では、コンテンツの再生途中で停止した場合、再生選択メニューを表示させ途中再生をフォーカス表示させるようにしたので、ユーザがその途中からコンテンツを再生する場合には、先頭から再生するか途中から再生するかを考慮する必要がなくなり、そのフォーカス表示された項目を決定するだけでよく、利便性が向上する。
【００２１】
本発明に係るプログラムは、コンテンツを先頭から再生するための先頭再生、または、前記コンテンツを途中から再生するための途中再生のいずれかを選択させるための再生選択メニューを表示部に表示するステップと、前記再生選択メニューのうちいずれか１つを選択させるために前記表示部上でフォーカス表示するステップと、前記再生選択メニューでフォーカス表示された前記コンテンツを再生するステップと、前記コンテンツが再生されている途中での電源の切断命令に基づき、再生途中のコンテンツの途中位置の情報を記憶して電源を切断するステップと、前記電源が投入された場合であって前記途中位置の情報が記憶されているとき、前記表示部に前記再生選択メニューを表示させ、前記途中再生をフォーカス表示させるステップとをコンピュータに実行させる。
【００２２】
本発明に係るプログラムは、コンテンツを先頭から再生するための先頭再生、または、前記コンテンツを途中から再生するための途中再生のいずれかを選択させるための再生選択メニューを表示部に表示するステップと、前記再生選択メニューのうちいずれか１つを選択させるために前記表示部上でフォーカス表示するステップと、前記再生選択メニューでフォーカス表示された前記コンテンツを再生するステップと、前記コンテンツの再生を途中で停止するステップと、前記コンテンツの再生が途中で停止されたことに基づき、前記再生選択メニューを前記表示部に表示させ、前記途中再生をフォーカス表示させるステップとをコンピュータに実行させる。
【発明の効果】
【００２３】
本発明によれば、操作の利便性を向上させることができ、操作数を減らして操作ミス等を防止することができる。
【発明を実施するための最良の形態】
【００２４】
以下、図面を参照して本発明の実施の形態について説明する。
【００２５】
図１は、本発明の一実施形態に係る電子機器としての携帯型ＨＤＤ動画再生装置の外観を示す斜視図、図２は同じくこの携帯型ＨＤＤ動画再生装置１００を正面から示した平面図、図３は同じくその断面図、図４は同じくこの携帯型ＨＤＤ動画再生装置を上から見た平面図である。
【００２６】
この携帯型ＨＤＤ動画再生装置１００は、片手で持てる程度のサイズの筐体１を有する。筐体１の正面側には、表示部としてＬＣＤの画面部２と、キー操作部３と、操作ボタン４と、各種状態を表示するためのＬＥＤ（Light Emitting Diode）表示部５とが設けられている。
【００２７】
キー操作部３は、図２に示すように、互いに同芯で配置され、各々個別に操作可能な３つのキー３１，３２，３３で構成されている。中心にあるキーは選択／実行を指定するためのＥＮＴＥＲキー３１である。このＥＮＴＥＲキー３１の外側のキーはメニュー選択時において使用されるメニュー選択関連キー３２である。さらにその外側のキーは再生時に使用される再生関連キー３３である。
【００２８】
メニュー選択関連キー３２及び再生関連キー３３はそれぞれ、ＥＮＴＥＲキー３１を中心とする上下左右の各々の位置が押下されることによって、対応するキーコマンドが発生するようになっている。メニュー選択関連キー３２が発生するキーコマンドは、後述する各種メニュー画面の中での項目を選択するためのフォーカスの位置の上下左右へのシフト等である。再生関連キー３３が発生するキーコマンドは、再生の早送り、巻き戻し、音声ボリュームの増減等である。
【００２９】
操作ボタン４には、各種設定用の画面を呼び出すためのＳＥＴＵＰボタン４１、コンテンツである動画ストリームの再生経過（残り）時間等を表示するためのＤＩＳＰＬＡＹボタン４２、再生開始と一時停止を指示するための再生ボタン４３、再生停止を指示するための停止ボタン４４等がある。
【００３０】
ＬＥＤ表示部５には、パワーオン状態を表示するパワーオン表示部５１、バッテリ充電中を表示する充電表示部５２、ストリーム転送中等のビジィ状態を表示するビジィ表示部５３等がある。
【００３１】
筐体１の一方の側面部には、上から順にＤＣ電源接続のためのＤＣＩＮジャック６、ＵＳＢ（Universal Serial Bus）接続のためのＵＳＢコネクタ７、ＡＶ出力用のＡＶＯＵＴジャック８が設けられている。また、ストラップ取り付け部９も設けられている。筐体１の他方の側面部には主電源のＯＮ／ＯＦＦ操作のためのＰＷＲキー（図示省略）が設けられている。筐体１の上面部には、図４に示すように、ヘッドフォン用ジャック１０と、スリット状の多数の排気穴１１が並べて設けられている。筐体１の下部には、スリット状の多数の吸気穴１２が並べて設けられている。
【００３２】
図５は、図３の断面図における筐体１のみを示した図である。同図に示すように、筐体１は正面側の筐体部品１Ａ，中間の筐体部品１Ｂ，背面側の筐体部品１Ｃで構成されている。正面側の筐体部品１Ａと背面側の筐体部品１Ｃはそれぞれ携帯型ＨＤＤ動画再生装置１００の外形の主に正面と背面を形成する筐体部品である。中間の筐体部品１Ｂは携帯型ＨＤＤ動画再生装置１００の外形の上部側面と左右側面となる部分を有しており、この筐体１の上部側面となる部分には、図４に示したように上記の排気穴１１が設けられている。正面側の筐体部品１Ａと背面側の筐体部品１Ｃは中間の筐体部品１Ｂを挟んで互いに接合されている。筐体１の下部には半円断面形状部１５が形成されており、この半円断面形状部１５では正面側の筐体部品１Ａと背面側の筐体部品１Ｃは互いに直接突合せで接合されている。また、この半円断面形状部１５の正面側の筐体部品１Ａの側に上記の吸気穴１２が設けられている。中間の筐体部品１Ｂの下部は筐体１の下部の半円断面形状部１５に倣って断面Ｕ字状に曲折されている。この部分を中間の筐体部品１Ｂの曲折部１４と呼ぶ。
【００３３】
また、筐体１の正面側には、ＬＣＤの画面部２及び操作ボタン４を覆うことのできる透明なアクリルカバー３５の着脱が可能となっており、このアクリルカバー３５によってＬＣＤの画面部２の傷や埃の付着等からの保護を図っている。このアクリルカバー３５には、キー操作部３の部分を露出する開口３６が設けられており、アクリルカバー３５を装着した状態でのキー操作部３の操作が可能となっている。
【００３４】
次に、この携帯型ＨＤＤ動画再生装置１００の内部の構造について説明する。
【００３５】
図３に示すように、筐体１内の部品は、携帯型ＨＤＤ動画再生装置１００の高さ方向において上寄りの位置に収容された部品群と下寄りの位置に収容された部品群とに配置上分けられている。上寄りの位置に収容された部品群としてはバックライト付のＬＣＤ２１、メイン基板２２、ＨＤＤ基板２３、ＨＤＤ２４、冷却ファン２５等があり、下寄りの位置に収容された部品群としては複合インバータ基板２６、バッテリパック２７等がある。上寄りの位置に収容された、ＬＣＤ２１、メイン基板２２、ＨＤＤ２４は、携帯型ＨＤＤ動画再生装置１００内の主な発熱源であり、その発熱量を比較すると、ＬＣＤ２１>メイン基板２２>ＨＤＤ２４の順となることが一般である。
【００３６】
この携帯型ＨＤＤ動画再生装置１００では、これら主な発熱源である部品を、正面側から背面側に向けて、発熱量の高いものから順に配置している。このような配置の選定によって、背面側の筐体部品１Ｃの加熱を他の並び順に比べて最も低く抑えることができる。この携帯型ＨＤＤ動画再生装置１００はユーザが手に持って動画鑑賞を楽しめるように設計されたものであり、鑑賞時にはユーザの手が背面側の筐体部品１Ｃに最も広い面で接触することとなるので、背面側の筐体部品１Ｃの温度上昇を最小限に抑えられることで、熱による不快感をユーザに与える度合を軽減できる。
【００３７】
また、筐体１内の熱は、筐体１内の最上部に配置された冷却ファン２５が生み出す、筐体１の下部に設けられた吸気穴１２から、図４に示す筐体１の上部の排気穴１１を通じての気流によって外部に放出されるようになっている。これにより、筐体１内の発熱源は効率的に空冷されるので、ユーザへの熱問題はより一層軽減されることになる。
【００３８】
中間の筐体部品１ＢのＵ字状の曲折部１４の内側には、これに包囲されるようにして電源用のバッテリパック２７が配置されている。また、この曲折部１４の先端側にある平坦な面の正面側（画面側）には複合インバータ基板２６が支持されている。すなわち、バッテリパック２７と複合インバータ基板２６とは中間の筐体部品１Ｂの曲折部１４によって隔てられている。ここで、複合インバータ基板２６とは、操作ボタン４やキー操作部３の動作に関連する部品や、ＬＣＤ２１のバックライトを駆動するためのインバータ等が実装された基板である。このように、バッテリパック２７と複合インバータ基板２６とが中間の筐体部品１Ｂの曲折部１４によって隔てられていることで、バッテリパック２７からの液漏れによる複合インバータ基板２６への影響を回避できるとともに、キー操作部３が操作された際の圧力がバッテリパック２７に直接加わることを回避してバッテリパック２７の保護を図ることができる。
【００３９】
なお、バッテリパック２７は大きな熱源とはならないので、ユーザの手が最も密に触れる機会の多い下部背面寄りに配置しても問題ない。また、バッテリパック２７は筐体１内の部品の中で最も比重が高く重量が大きいので、筐体１の最下部に配置することによって、鑑賞中にユーザが携帯型ＨＤＤ動画再生装置１００を手で保持しているときの安定感が良好になる。
【００４０】
なお、この実施形態の携帯型ＨＤＤ動画再生装置１００では、図３に示したように、筐体１の下部に吸気穴１２を設けたが、図１２に示すように、筐体１の背面側のバッテリパック２７のすぐ上の位置に吸気穴１２を設けてもよい。
【００４１】
図６は、この携帯型ＨＤＤ動画再生装置１００の内部構造を層ごとに示した平面図である。ＬＣＤ２１のバックライトは接続配線１３１を通じて複合インバータ基板２６の画面側面に固定されたコネクタ１３２と接続され、この接続配線１３１を通じて複合インバータ基板２６からＬＣＤ２１のバックライトにその点灯と制御に必要な信号が供給される。また、ＬＣＤ２１は接続配線１３３を通じてメイン基板２２の画面逆側面に固定されたコネクタ１３４と接続され、この接続配線１３３を通じてメイン基板２２からＬＣＤ２１に必要な信号が供給される。メイン基板２２と複合インバータ基板２６とは各々の画面側面に固定されたコネクタ１３５，１３６とコネクタ１３５，１３６間に接続された接続配線１３７を通じて電気的に接続され、相互に必要な信号の通信を行う。さらに、メイン基板２２の画面側面には２つの冷却ファン２５，２５に駆動信号を供給するための接続配線１３８，１３９の一端がそれぞれ接続された２つのコネクタ１４０，１４１が設けられている。メイン基板２２とＨＤＤ基板２３とは、メイン基板２２の画面逆側面に設けられたコネクタ１４２とＨＤＤ基板２３の画面側面に設けられたコネクタ１４３との間を接続する接続配線１４４によって相互に通信が行えるようになっている。メイン基板２２には、ＤＣ（直流）ＩＮジャック６、ＵＳＢコネクタ７、ＡＶ出力用のＡＶＯＵＴジャック８、ヘッドフォン用ジャック１０が設けられている。ＨＤＤ基板２３にはシステムをリセットするためのスイッチ１４５が設けられている。バッテリパック２７から引き出された接続配線１４６はメイン基板２２の画面側面に設けられたコネクタ１４７に接続されている。ＨＤＤ２４はＨＤＤ基板２３の画面逆側面に設けられたコネクタ１４８を通じてＨＤＤ基板２３と電気的に接続されている。
【００４２】
次に、この携帯型ＨＤＤ動画再生装置１００の電気的な構成について図７を用いて説明する。同図は主にメイン基板２２に実装された回路の構成を示すものである。
【００４３】
同図において、システムコントローラ６１には、操作用の各種キー３，４の操作、ＰＷＲキー６２の操作、ＡＣ（交流）電源の接続（ＡＣ検出）６３、リセットＩＣ６４の出力、バッテリ６５の電圧、温度センサー６６等の監視を行い、監視結果に応じた処理を実行する。リセットＩＣ６４はリセットＳＷ６７が操作されたときにリセット操作信号を発生するＩＣである。
【００４４】
システムコントローラ６１が、ＰＷＲキー６２が押されたことを検知すると、バッテリ６５から、電源回路６８によりシステムに電力が投入され、システムの起動処理を行い、各デバイスを動作可能な状態に初期設定する。また、パワーオン表示部５１を点灯するように制御を行う。システム稼動中にＰＷＲキー６２が押されたことを検知した場合にはシステムの終了処理を行い、電源回路６８によりシステムへの電力供給を切断する。
【００４５】
システムコントローラ６１はリセットＩＣ６４よりリセット操作信号を受信すると、システムをリセット処理すなわち終了処理に続いて起動処理を行う。
【００４６】
システムコントローラ６１はＡＣ電源の接続（ＡＣ検出）６３を検知すると電源回路６８の制御を行い、バッテリ６５の充電制御を行う。電源回路６８はその近傍に配置された温度センサー６９の出力に基づき、例えば設定温度以上の高温が検出された場合に自動的にオフするようになっている。
【００４７】
システムコントローラ６１はバッテリ電圧の監視結果に基づいてバッテリ６５の残量を計算して画面上のバッテリ残量表示を制御する。
【００４８】
システムコントローラ６１は温度センサー６６の出力に基づいて冷却ファン２５の回転数を制御する。すなわち、温度に対して比例的に冷却能力を高めるように制御する。
【００４９】
また、システムコントローラ６１は、キー操作部３及び操作ボタン４のキー操作を監視して、操作されたキーの種類に応じたイベント処理を行う。
【００５０】
システムコントローラ６１は、ＣＰＵ（Central Processing Unit）７１、ＲＡＭ（Random Access Memory）７２、ＲＯＭ（Read Only Memory）７３、Ａ／Ｄ変換回路７４、シリアルＰＷＭ（Pulse Width Modulation）制御回路７５等で構成され、これらはバス７６を通じて接続されている。ＣＰＵ７１はＲＯＭ７３に記憶されているファームウェアによりＲＡＭ７２を作業領域に用いて各種の演算処理と制御を実行する。ファームウェアとして、例えばシステム起動のためのプログラム、起動時のチェックサムを実行するプログラム等がＲＯＭ７３に記憶されている。Ａ／Ｄ変換回路７４は、上記した操作用の各種キー３，４の操作、ＰＷＲキー６２の操作、ＡＣ電源の接続（ＡＣ検出）６３、リセットＩＣ６４の出力、バッテリ６５の電圧、温度センサー６６等の監視結果であるアナログ値をデジタル値に変換する部分である。シリアルＰＷＭ制御回路７５はヘッドフォン８１のミュート制御、ＬＣＤ２１のバックライト８２の輝度を制御するＰＷＭ信号をインバータ８３に供給する。
【００５１】
ＵＳＢ端子８５が接続されたＵＳＢブリッジ８６、ＨＤＤ２４、ＤＭＡ（Direct Memory Access）転送回路８７はＩＤＥ（Integrated Drive Electronics）バス８８を通じて相互に接続されており、ＵＳＢ端子８５に接続された図示しないＰＣ（Personal Computer）から転送された動画ストリーム等のデータはＵＳＢブリッジ８６からＩＤＥバス８８を通じてＨＤＤ２４に記録されるようになっている。
【００５２】
ＤＭＡ転送回路８７は、ＨＤＤ２４から読み出されたデータをＭＰＥＧ（Moving Picture Coding Experts Group）２デコーダ８９に転送する回路である。ＤＭＡ転送回路８７は４つのセレクタ９０，９１，９２，９３とＤＭＡコントローラ９４とを有している。第１のセレクタ９０は、ＩＤＥバス８８のデータを選択するためのセレクタであり、システムコントローラ６１がＨＤＤ２４をアクセスするためのＡＴＡ（AT Attachment）コマンドに基づいてＤＭＡ転送回路８７をＩＤＥバス８８と接続状態にする。第１のセレクタ９０は、バッファメモリ９５に接続された第２のセレクタ９１と第１のＤＭＡ伝送路９６で接続されている。したがって、第１のセレクタ９０によりＩＤＥバス８８から抽出されたデータは第１のＤＭＡ伝送路９６、第２のセレクタ９１を通じてバッファメモリ９５に転送される。
【００５３】
このＨＤＤ２４からバッファメモリ９５へのデータ転送において、システムコントローラ６１は第１のセレクタ９０に出力するＡＴＡコマンドの発行タイミングを制御して、ＨＤＤ２４からのデータの読み出しが間欠的に行われるようにしている。具体的には、例えば所定の再生時間分の動画ストリームの単位でＨＤＤ２４からデータを読み出してバッファメモリ９５に転送し、バッファメモリ９５のデータが空になったところで、ＨＤＤ２４から次の再生時間分の動画ストリームを読み出すように、システムコントローラ６１から第１のセレクタ９０に対してＡＴＡコマンドが発行される。これにより、ＨＤＤ２４に対するアクセスは間欠的に行われることになり、ＨＤＤ２４の発熱量の低減及び消費電力の低減を図ることができる。
【００５４】
バッファメモリ９５に蓄積された動画等のデータは、バッファメモリ９５に所定の再生時間分の動画ストリームが蓄積されたところで第２のセレクタ９１によって読み出され、第２のセレクタ９１とＭＰＥＧ２デコーダ８９とを接続する第２のＤＭＡ伝送路９７を通じてＭＰＥＧ２デコーダ８９に転送される。ＭＰＥＧ２デコーダ８９は、ＭＰＥＧ２で符号化された動画ストリームをハードウェアで復号する回路である。ＳＤＲＡＭ９８はこのＭＰＥＧ２デコーダ８９の作業領域として用いられるランダムアクセス可能なメモリである。
【００５５】
ＭＰＥＧ２デコーダ８９の出力のうち動画データはＬＣＤコントローラ９９に送られ、このＬＣＤコントローラ９９によってＬＣＤ２１の駆動が制御されることによって動画の再生が行われる。一方、ＭＰＥＧ２デコーダ８９より出力された音声データはＤ／Ａコンバータ１０１によってアナログ信号に変換された後、ヘッドフォン端子１０に接続されたヘッドフォンに送られる。また、ＡＶＯＵＴ端子１０２には外部のテレビジョン等が接続できるようになっており、ＡＶＯＵＴ端子１０２に外部のテレビジョンが接続されているときには、Ｄ／Ａコンバータ１０１のアナログ信号はリニアアンプ１０３にて必要なレベルに増幅されるようになっている。
【００５６】
ＤＭＡ転送回路８７の第３のセレクタ９２は、システムコントローラ６１及びフラッシュＲＯＭ１０４が接続されているバス１０５との間で通信を行うものである。第３のセレクタ９２はシステムコントローラ６１から発生したＡＴＡコマンドをバス１０５から抽出して制御線１０６を通じて第１のセレクタ９０に通知する。
【００５７】
フラッシュＲＯＭ１０４には、読み出し専用のデータとして、画面部２において表示される設定画面等に関するデータ、ＯＳＤ（On Screen Display）に関するフォントや画像のデータ、その他ＭＰＥＧ２デコーダ８９及びＤＭＡ転送回路８７のマイクロコード、そのマイクロコードのバックアップデータ等が格納されている。設定画面等に関するデータとは、画面部２の色合い、コントラスト等のデフォルト値のデータである。
【００５８】
ＨＤＤ２４のハードディスク２４ａには、図８に示すように、読み出し専用のデータとして、ＯＳＤを機能させるためのＯＳＤソフトウェア１５６、タイトルリスト、メニュー、設定画面などの構成要素であるビットマップ１５７や文字コード１５８などのデータが格納されている。ＯＳＤソフトウェアは、画面部２上において、例えば再生マーク、一時停止マーク、音量マーク、フォーカス表示、その他のマークを表示するためのソフトウェアである。
【００５９】
システムコントローラ６１は、ビットマップデータ１５７および文字コード１５８をＨＤＤ２４から読み出す場合には、第３のセレクタ９２を通じてＤＭＡコントローラ９４にその旨を通知する。ＤＭＡコントローラ９４は、この通知を受けると、第３のセレクタ９２と第２のセレクタ９１との第１のＤＭＡ伝送路９６を有効にするとともに、第４のセレクタ９３を制御して、第２のセレクタ９１とＭＰＥＧ２デコーダ８９とを接続する第３のＤＭＡ伝送路１０７を有効にする。
【００６０】
ＨＤＤ２４から読み出されてバッファメモリ９５にビットマップデータとともに保持された文字コードは、第２のセレクタ９１、第３のセレクタ９２、バス１０５を通じてシステムコントローラ６１に送られる。システムコントローラ６１は、この文字コード１５８に対応するビットマップデータをフラッシュＲＯＭ１０４から読み出して第３のセレクタ９２に返す。ＤＭＡコントローラ９４はシステムコントローラ６１より応答された文字コードに対応するビットマップデータを第３のセレクタ９２から第４のセレクタ９３に送り、バッファメモリ９５から第２のセレクタ９１を通じて読み出されたビットマップと合成してＭＰＥＧ２デコーダ８９に出力するように制御を行う。
【００６１】
なお、第３のＤＭＡ伝送路１０７はビットマップ伝送用のため、第２のＤＭＡ伝送路９７よりも広いバス幅を有している。例えば、第２のＤＭＡ伝送路９７は８本のデータ線と４本の制御線とで構成されるのに対し、第３のＤＭＡ伝送路１０７は１６本のデータ線、２４本のアドレス線、３本の制御線で構成されている。これにより、動画ストリームの再生時とビットマップの再生時との間でユーザの体感速度に大きな差が生じないようにしている。
【００６２】
次に、この携帯型ＨＤＤ動画再生装置１００を利用するためにＰＣに適用される転送アプリケーションについて説明する。
【００６３】
図９はこの転送アプリケーションによってＰＣに表示される録画コンテンツの表示ウインドウ２０１を示している。この録画コンテンツの表示ウインドウ２０１には、ＰＣに録画された、あるいは録画予約された各動画ストリームの、タイトル、作成日時、録画済みかどうかの状態等の一覧が、録画順／録画予約順に例えば上から下に表示されている。
【００６４】
携帯型ＨＤＤ動画再生装置１００に所望の動画ストリームを転送したい場合には、転送用のウインドウ２０２を呼び出し、録画コンテンツの表示ウインドウ２０１の中の所望の動画ストリームをマウスのドラッグアンドドロップ等の操作によって、転送用のウインドウ２０２内の転送動画ストリームの一覧表示ボックス２０３に落し込む。これにより、転送動画ストリームの一覧表示ボックス２０３に動画ストリームに関する情報が表示される。この後、転送用のウインドウ２０２内の転送ボタン２０４をマウスでクリックすることによって、ＰＣに携帯型ＨＤＤ動画再生装置１００が接続されていればＰＣから携帯型ＨＤＤ動画再生装置１００への動画ストリームの転送が直ちに開始される。転送ボタン２０４をマウスでクリックした時点でＰＣに携帯型ＨＤＤ動画再生装置１００が接続されていない場合は、携帯型ＨＤＤ動画再生装置１００が接続されると直ちに動画ストリームの転送が開始されるようになっている。
【００６５】
ここで、ＰＣに蓄積される動画ストリームにはＡＶＩ（Audio Video Interleaved）、ＷＭＶ（Windows(登録商標) Media Video）等、様々なフォーマットが知られている。携帯型ＨＤＤ動画再生装置１００はＭＰＥＧ２フォーマットの動画ストリームをデコードして再生する仕様となっているので、転送アプリケーションは、ＰＣから携帯型ＨＤＤ動画再生装置１００への動画ストリームの転送前に、動画ストリームのフォーマットをＭＰＥＧ２に自動変換し、ＭＰＥＧ２に変換された動画ストリームをＰＣから携帯型ＨＤＤ動画再生装置１００に自動転送する。
【００６６】
以上は、ユーザが手動で所望の動画ストリームを転送する場合の動作であるが、この動画コンテンツは容量が数Ｇ（ギガ）のものもあり、データ転送にはかなりの時間が見込まれる。そこで、この転送アプリケーションには転送予約機能が設けられている。この転送予約機能を用いる場合には、転送用のウインドウ２０２内の自動転送ボタン２０５をマウスでクリックする。すると、自動転送を開始する時刻を指定するためのウインドウが表示されるので、ここにユーザが希望する転送開始時刻を入力して決定すればよい。転送アプリケーションは、ユーザにより指定された転送開始時刻を記憶し、時計の時刻と比較して、指定された時刻になったなら、転送用のウインドウ２０２の転送動画ストリームの一覧表示ボックス２０３に表示されている動画ストリームを一つずつＰＣから携帯型ＨＤＤ動画再生装置１００へフォーマット変換を通じて転送する。
【００６７】
なお、転送用のウインドウ２０２の転送動画ストリームの一覧表示ボックス２０３に表示されている動画ストリームは上から順に転送されるようになっている。この動画ストリームの表示順位は順位変更ボタン２０６、２０７をマウスでクリックすることによって自在に変更することができる。すなわち、順位を変更したい動画ストリームをマウスで選択後、順位変更ボタン２０６を一回クリックすることで、選択動画ストリームの順位が一つ上に移動し、逆に順位変更ボタン２０７を一回クリックすることで、選択動画ストリームの順位が一つ下に移動するようになっている。さらに、削除したい選択動画ストリームをマウスで選択後、削除ボタン２０８をクリックすることで、転送動画ストリームの一覧表示ボックス２０３から選択動画ストリームが削除されて転送対象から外すことも可能である。
【００６８】
ＰＣは、携帯型ＨＤＤ動画再生装置１００に対し、図１０に示す動画ストリームのタイトル情報２１７のテーブルをも転送するようになっている。タイトル情報２１７は、例えば、上記タイトルリストであるタイトル名、動画を作成した日時、録画時間、チャンネル名、カウンタ情報、その他、図示しないがデータ量や削除防止用フラグ等の情報を含む。携帯型ＨＤＤ動画再生装置１００は転送されたタイトルリストをＨＤＤ２４に格納しておく。
【００６９】
次に、携帯型ＨＤＤ動画再生装置１００のＨＤＤ２４に記憶される動画ストリームに関するデータの内容について説明する。
【００７０】
図１１は、この動画ストリームのデータを構成するためのＩピクチャ情報ファイルの構成を示す図である。
【００７１】
このＩピクチャ情報ファイル１１１も携帯型ＨＤＤ動画再生装置１００のＨＤＤ２４に記憶されている。このＩピクチャ情報ファイル１１１は、例えば、すべてのＩピクチャ、あるいは、トリックプレイ再生として例えば１５倍速及び６０倍速による早送り再生や巻き戻し再生で必要な周期のＩピクチャに対してそれぞれ作成される。この携帯型ＨＤＤ動画再生装置１００は、例えば、１秒間にＩピクチャを２枚再生する。
【００７２】
Ｉピクチャ情報ファイル１１１は、ＩピクチャのＨＤＤ２４上の実アドレスを示す情報１１２、カウンタ手段の要部としてのタイムスタンプ１１３、及びオーディオの出力モード情報１１４を含んでいる。ＩピクチャのＨＤＤ２４上の実アドレスを示す情報１１２は、Ｉピクチャの記録開始位置を表す、セクタＩＤ及びそのセクタ先頭からのオフセットと、Ｉピクチャの記録終了位置を表す、セクタＩＤ及びそのセクタ先頭からのオフセットからなる。Ｉピクチャ１つ分のデータ量が、１セクタ分（例えば５１２Ｂｙｔｅ）より大きいため、Ｉピクチャの記録開始位置や記録終了位置は、先頭セクタからオフセットした形となっている。タイムスタンプ１１３はビデオ上の時刻データであり、Iピクチャごとに時・分・秒が記憶されている。１つの動画ストリームにおいて、最初のＩピクチャのタイムは０：００：００となる。オーディオの出力モード情報１１４とはオーディオをステレオで出力するかモノラルで出力するかを定義する情報である。
【００７３】
上記したＰＣの転送アプリケーションは、携帯型ＨＤＤ動画再生装置１００へのＭＰＥＧ２ストリームの転送の際に、このようなＩピクチャ情報ファイル１１１を作成する。転送アプリケーションは、上記したように携帯型ＨＤＤ動画再生装置１００に動画ストリームデータを自動転送するが、そのときに、作成したＩピクチャ情報ファイルも携帯型ＨＤＤ動画再生装置１００のＨＤＤ２４に転送する。そして、携帯型ＨＤＤ動画再生装置１００は、後述するように、このＩピクチャ情報ファイル１１１に基づき、動画ストリームを再生可能となっている。
【００７４】
図１２はＭＰＥＧ２システム・ストリーム１２０の構成図、図１３はＭＰＥＧ２ビデオ・ストリーム１３０の構成図、図１４はＭＰＥＧ２オーディオ・ストリーム１４０の構成図である。以下、これのストリーム１２０，１３０，１４０を「ＭＰＥＧ２ストリーム」と総称する。
【００７５】
これらの図に示すように、ＭＰＥＧ２ストリーム１２０，１３０，１４０は複数のパック１２１で構成されている。最初のパック１２１はパック・ヘッダ１１５、システム・ヘッダ１１６、その後に続くパケット１１７群で構成されている。以降のパック１２１は、パック・ヘッダ１１５とその後に続くパケット１１７群で構成されている。最後のパックの最終部には終了コード１１８が挿入されている。パック・ヘッダ１１５は、図１２に示すように、パック開始コード、"０１"、ＳＣＲ、多重化レート、スタッフィング・バイトを含む。システム・ヘッダ１１６は、システム・ヘッダ開始コード、ヘッダ長、ビット・レート、オーディオ・チャンネル数、４フラグ、ビデオ・チャンネル数、予約バイト、Ｎ−ループ個別ストリーム情報を含む。４フラグは、固定フラグ、ＣＰＳフラグ、オーディオ・ロック・フラグ、ビデオ・ロック・フラグ、"１"マーカー・ビットを含む。Ｎ−ループ個別ストリーム情報は、ストリームＩＤ、"１１"、バッファ領域スケール、バッファ領域サイズ等を含んでいる。
【００７６】
図１３に示すように、ビデオのパケット１１７は、ＳＨ（Sequence Header）１１９と、その後に配置されたＧＯＰ（Group Of Pictures）１２２とで構成されている。ＧＯＰ１２２はＩ(Intra)，Ｐ(Predictive)，Ｂ(Bi-directional)の３種類の複数のピクチャで構成され、ＧＯＰ１２２の先頭にはＩピクチャが配置されている。このＩピクチャは、自画面内の情報のみで圧縮（フレーム内圧縮）された画面データである。Ｐピクチャは、時間的に過去の画面からの相関情報で表される（フレーム間圧縮）された画面データ、Ｂピクチャは、時間的に前後する画面からの相関情報で表される（フレーム間圧縮）された画面データである。したがって、Ｉピクチャは、単体で画面データを復号再生することが可能なデータと言える。一方、図１４に示すように、オーディオのパケット１１７は、ヘッダ１２３、エラーチェック１２４、オーディオデータ１２５で構成されている。ヘッダ１２３には、オーディオデータ１２５の出力モード（ステレオ／モノラル）を示すビット１２６が含まれている。なお、Ｉピクチャのフレーム数は、例えば１つのＧＯＰ１２２の中に１５枚程度含まれている。
【００７７】
ところで、ＨＤＤ等の記録媒体に採用されている代表的なファイルシステムとしてはＦＡＴ（File Allocation Tables）が知られている。本実施の形態に係る携帯型ＨＤＤ動画再生装置１００においてもこのＦＡＴファイルシステムを採用している。
【００７８】
図１５はこのＦＡＴファイルシステムが採用されたＨＤＤの記録領域の構成を示している。ＨＤＤの記録領域は、マスターブートレコード（ＭＢＲ）等が記録された先頭の領域２１１と、パーティション先頭のブートレコード（ＢＲ）、ファイルシステムの情報（ＦＳＩ）等が記録された領域２１２と、ファイルの実データの記録用の領域２１３と、複数のＦＡＴ管理テーブル（ＦＡＴ＃１，ＦＡＴ＃２）用の領域２１４，２１５等で構成されている。ここで、ＦＡＴ＃２のＦＡＴ管理テーブルは、ＦＡＴ＃１のＦＡＴ管理テーブルのバックアップである。ＨＤＤ等のランダムアクセス可能な記録媒体では、データの読み書きが繰り返されることに伴って空き領域が次第に分散して行くことから、１つのファイルの実データが必ずしも連続したクラスタ群に書き込まれるという保証はなく、むしろ分散して書き込まれる場合が多い。例えば、図１６に示すように、連続するクラスタ群（Ａ，Ｂ，…，Ｙ，Ｚ，ａ，ｂ，ｃ，…）においても１つのファイルの実データが、Ａ，Ｔ，Ｂ，Ｍ，Ｌ，Ｆ，Ｓ，Ｖ，…のクラスタの順に記録されることがある。ＦＡＴでは、例えば図１７に示すように、ＦＡＴ管理テーブル（ＦＡＴ＃１，ＦＡＴ＃２）にて、ファイルの実データが書き込まれている各クラスタの番号がこれらの順番とともに管理されており、ＯＳはこのＦＡＴ管理テーブル（ＦＡＴ＃１，ＦＡＴ＃２）を参照することよって目的のファイルの実データを読み込むようになっている。
【００７９】
このようにＦＡＴファイルシステムが採用されたＨＤＤに、ＭＰＥＧ２形式の動画ストリームを記録しておき、ＨＤＤからその動画ストリームを読み出して再生する場合、以下のようにして再生する。すなわち、図１８に示すように、ＦＡＴ管理テーブル上の、再生対象である動画ストリームが記録されている各先頭クラスタ番号を実データの読み出し順に登録した再生テーブル２１０を、メインメモリ上に作成することが行われる。この後、再生テーブル２１０の先頭から各先頭クラスタ番号を順番に読み出してＨＤＤから実データを読み出し、デコードして、動画ストリームの再生が行われる。
【００８０】
図１９は、図１８に示した再生テーブル２１０に対応した連続するクラスタ群（Ａ，Ｔ，Ｂ，・・・，ｅ，ｐ）２２０と、図１３に示した動画ストリームデータ１３０とが対応していることを示す図である。すなわち、動画ストリームデータ１３０は、ハードディスク上の連続するクラスタ群２２０に記憶されていることを示している。
【００８１】
図２０は、動画ストリームのタイトルと、再生テーブル２１０を識別するためのＩＤと、Ｉピクチャ情報ファイル１１１を識別するＩＤとを対応付けたテーブルである。システムコントローラ６１は、ＰＣからの動画ストリームの転送時に再生テーブル２１０及びＩピクチャ情報ファイル１１１をそれぞれ識別するためのＩＤを生成し、このようなテーブル１７５を作成してＨＤＤ２４に格納しておく。テーブル１７５の中の再生テーブル２１０のＩＤ及びＩピクチャ情報ファイル１１１のＩＤは、上記タイトル情報２１７のテーブル上でいっしょに管理されるようにしてもよい。
【００８２】
次に、以上のように構成された携帯型ＨＤＤ動画再生装置１００の動作について説明する。
【００８３】
図２１は動画ストリームの再生動作を示すフローチャートである。まず、ユーザのＰＷＲキー６２が押されると、電源回路６８によりシステムに電力が投入される（ステップ２１０１）。システムコントローラ６１は、必要なプログラムをＲＯＭ７３から抽出してＲＡＭ７２に展開し、システム起動時の起動画面を画面部２に表示する（ステップ２１０２）。システムコントローラ６１は、ＨＤＤ２４から、上記ＦＡＴ管理テーブル、タイトル情報２１７（図９参照）、このタイトル情報２１７に基づく動画ストリームごとのタイトルリストのビットマップデータ１５７、ＯＳＤソフトウェア１５６等をバッファメモリ９５上に読み出す。システムコントローラ６１は、ＦＡＴ管理テーブルとして図１８に示したテーブル２１０を読み出し、また、図２０に示したテーブル１７５を読み出す。
【００８４】
システムコントローラ６１は、バッファメモリ９５上に読み出したタイトル情報２１７のカウンタ情報に基づき、再生途中の動画ストリームがあるか否かを判断する（ステップ２１０３）。具体的には、例えば、カウンタ情報が０：００：００か、そうでないかのフラグを立てておき、そのフラグの有無に基づき再生途中の動画ストリームがあるか否かを判断することができる。再生途中の動画ストリームがなければ、システムコントローラ６１は、図２２に示すようなタイトルメニュー（タイトルリスト）画面１６０を表示する（ステップ２１０４）。このとき、システムコントローラ６１は、ＯＳＤソフトウェア１５６を用いて、例えばタイトルリストの最上にあるコンテンツに対してフォーカス表示１６２をする。ユーザにより、操作キー３等が押されることにより、システムコントローラ６１はこのフォーカス表示１６２を図２２中上下に移動させることができる。ユーザにより、ユーザが望むコンテンツが選択され、ＥＮＴＥＲキー３１が押されると（ステップ２１０５）、システムコントローラ６１は、図２３に示すように、再生選択メニュー画面１７０を表示するとともに、ＯＳＤソフトウェア１５６を用いて、選択されたコンテンツの「先頭から再生」をフォーカス表示する（ステップ２１０６）。このように「先頭から再生」をフォーカス表示した状態で、ユーザによりＥＮＴＥＲキー３１または再生ボタン４３が押されると（ステップ２１０７）、システムコントローラ６１は、選択されたコンテンツを先頭から再生する（ステップ２１０８）。具体的には、ステップ２１０８では、システムコントローラ６１は、テーブル１７５を参照し、選択されたコンテンツタイトルに対応する再生テーブルＩＤ及びＩピクチャ情報ファイルＩＤを抽出する。システムコントローラ６１は、抽出した各ＩＤに対応する再生テーブル２１０及びＩピクチャ情報ファイル１１１に基づき、先頭のＩピクチャから順にＨＤＤ２４から読み出して再生する。
【００８５】
さらに詳しくは、ＨＤＤ２４から読み出された動画ストリームはバッファメモリ９５にＤＭＡ転送されてバッファリングされた後、ＭＰＥＧ２デコーダ８９にＤＭＡ転送されて復号される。ＬＣＤコントローラ９９はＭＰＥＧ２デコーダ８９から出力された動画データに基づきＬＣＤ２１を駆動し、これによって動画がＬＣＤ２１の画面に表示される。一方、ＭＰＥＧ２デコーダ８９によって復号された音声データはＤ／Ａコンバータ１０１によってアナログ信号に変換された後、ヘッドフォン端子１０に接続されたヘッドフォンに送られる。
【００８６】
なお、ステップ２１０２の後、動画ストリームのコンテンツがＨＤＤ２４上になければ、例えばコンテンツがない旨の画面（図示せず）を表示する。システムコントローラ６１は、タイトル情報２１７がＨＤＤ２４に記憶されているか否か、すなわち、タイトル情報２１７のテーブルがあるか否かで、コンテンツがあるか否かを判断することができる。
【００８７】
ユーザにより、再生途中でコンテンツ再生の停止ボタンが押されとき（ステップ２１０９）、システムコントローラ６１は、以下のように処理する。例えば、システムコントローラ６１は、Ｉピクチャ情報ファイル１１１に基づき、途中で再生が停止されたときの、ＩピクチャのＨＤＤ２４のハードディスク上における位置及び時刻（カウンタ情報）を、例えばバッファメモリ９５に記憶する（ステップ２１１０）。システムコントローラ６１は、例えば図２５で示すように、再生途中のＩピクチャのＨＤＤ２４の位置及び時刻をテーブル１８０として記憶しておけばよい。このテーブル１８０は、上記タイトル情報２１７のテーブルとともに記憶しておくことも可能である。
【００８８】
システムコントローラ６１は、ステップ２１１０の後、図２４に示すように、再生選択メニュー画面１７０を表示するとともに、ＯＳＤソフトウェア１５６を用いて選択されたコンテンツの「途中から再生」をフォーカス表示する（ステップ２１１１）。この後、「途中から再生」をフォーカス表示した状態で、ユーザにより再度ＥＮＴＥＲキー３１または再生ボタン４３が押されると（ステップ２１１２）、システムコントローラ６１は、選択されたコンテンツを途中から再生する（ステップ２１１３）。ステップ２１１３では、具体的には、システムコントローラ６１は、テーブル１８０に基づき、再生途中のコンテンツのＩピクチャの先頭セクタＩＤを読み出して再生する。
【００８９】
このように、本実施の形態では、再生途中でユーザにより再生が停止された場合、そのコンテンツの「途中から再生」をフォーカス表示するようにしている（ステップ２１１１）。これにより、ユーザは、先頭から再生するか途中から再生するかを考慮する必要がなくなり、そのフォーカス表示された項目を決定するだけでよい。その結果、ユーザにとってわかりやすく便利になる上、例えば、ユーザが携帯型ＨＤＤ動画再生装置１００を屋外で用いる場合に、機器の操作数を減らすことができる。したがって、操作ミスも軽減することができる。具体的には、例えば、ユーザが電車の中で携帯型ＨＤＤ動画再生装置１００を用いて動画を鑑賞する場合、電車の乗り換えの都度、動画ストリームの再生及び停止を繰り返す場合等に便利である。
【００９０】
ステップ２１０３において、システムコントローラ６１が、上記タイトル情報２１７の各コンテンツ中、カウンタ情報が０：００：００でない、すなわち、再生途中のコンテンツがあると判断した場合、図２４に示すように、再生選択メニュー画面を表示するとともに、選択されたコンテンツの「途中から再生」をフォーカス表示する（ステップ２１１１）。この場合、タイトルメニュー画面１６０を表示しない。このように「途中から再生」をフォーカス表示した状態で、ユーザによりＥＮＴＥＲキー３１または再生ボタン４３が押されると（ステップ２１１２）、システムコントローラ６１は、選択されたコンテンツを途中から再生する（ステップ２１１３）。これにより、ユーザは、先頭から再生するか途中から再生するかを考慮する必要がなくなり、そのフォーカス表示された項目を決定するだけでよい。その結果、ユーザにとってわかりやすく便利になる上、操作ミスも軽減することができる。
【００９１】
システムコントローラ６１は、コンテンツを終端まで再生した後は、例えばそのコンテンツの再生選択メニュー画面１７０を表示するとともに、「先頭から再生」をフォーカス表示する。この画面上で、ユーザにより「タイトル一覧表示へ戻る」が選択されてＥＮＴＥＲキー３１が押されると、タイトルメニュー画面１６０を表示するとともに、直前まで再生していたコンテンツのタイトル名をフォーカス表示する。
【００９２】
なお、直前まで再生していたコンテンツ以外に再生途中のコンテンツがあり、ユーザが当該コンテンツの再生を望む場合も考えられる。図２２はこのような場合の動作を示すフローチャートである。
【００９３】
同図に示すように、例えば再生選択メニュー画面１７０において「先頭から再生」若しくは「途中から再生」がフォーカス表示されている状態で、ユーザにより「タイトル一覧表示へ戻る」が選択されてＥＮＴＥＲキー３１が押されると、システムコントローラ６１は、タイトルメニュー画面を表示する（ステップ２１０４）。そして、ユーザにより例えば直前に再生されていたコンテンツ以外のコンテンツが選択されると、再生選択メニュー画面を表示するとともに当該コンテンツについて「途中から再生」をフォーカス表示して（ステップ２１１１）、その後は上述したのと同様の処理を行う。
【００９４】
次に、ユーザにより、コンテンツを再生途中で電源が切断され、再び電源を投入する場合の動作について説明する。図２７はその動作を示すフローチャートである。
【００９５】
例えば、コンテンツの再生中において（ステップ２７０１）、ユーザによりＰＷＲキー６２が押されると（電源の切断命令）（ステップ２７０２）、システムコントローラ６１は、途中で再生が停止されたときの、ＩピクチャのＨＤＤ２４のハードディスク上における位置及び時刻を、例えばＨＤＤ２４に記憶する（ステップ２７０３）。この場合、上述したように、システムコントローラ６１は、例えば図２５で示すように、再生途中のＩピクチャのＨＤＤ２４の位置及び時刻をテーブル１８０として記憶しておけばよい。このテーブル１８０は、上記タイトル情報２１７のテーブルとともに記憶しておくことも可能である。この後、システムコントローラ６１は、電源を切断する（ステップ２７０４）。
【００９６】
電源を切断した後、ユーザによりＰＷＲキー６２が押され、電源が投入されると（ステップ２７０５）、その後、システムコントローラ６１は図２１で示したフローで動作する。
【００９７】
なお、再生選択メニュー画面１７０で「削除」の項目３０６がユーザにより選択され決定された場合には、最後に再生したタイトルの動画ストリームがＨＤＤ２４から削除される。すなわち、鑑賞し終わったタイトルの動画ストリーム等を、少ない操作でＨＤＤ２４から削除することができる。また、「プロテクト」の項目３０７がユーザにより選択され決定された場合には、ＨＤＤ２４に記録されている該当する動画ストリームに対して削除禁止の保護がかけられることになる。
【００９８】
図２８は、画面部２で表示される再生選択メニュー画面の他の形態を示す図である。この再生選択メニュー画面１８５では、上記実施の形態に比べ、システムコントローラ６１は再生途中のコンテンツの情報をより詳細に表示している。具体的には、システムコントローラ６１は、選択されたコンテンツの再生途中の時刻情報のカウンタ表示１８６をしている。システムコントローラ６１は、カウンタ表示１８６に合わせて、時間経過バー１８７を表示してもよい。時間経過バー１８７は、コンテンツの再生時間が経過するにしたがってバー１８８が右に移動していくものである。これにより、ユーザは、視覚的にコンテンツの再生時間が把握することができ、便利である。
【００９９】
このカウンタ表示１８６の動作について説明する。図２１に示したように、システムコントローラ６１が、ステップ２１１０においてＩピクチャ情報ファイル１１１に基づき、再生途中のＩピクチャの位置及び時刻を記憶する。ステップ２１１１において、システムコントローラ６１は、当該記憶した時刻を図２８のように再生選択メニュー画面１８５で表示する。図２７に示した電源投入（ステップ２６０５）後の動作においても、システムコントローラ６１は、図２８のように再生選択メニュー画面１８５で表示すればよい。システムコントローラ６１は、ＨＤＤ２４またはフラッシュＲＯＭ１０４に予め記憶されたビットマップデータを用いてカウンタ表示１８６等を表示することができる。
【０１００】
本実施の形態では、再生選択メニュー画面１８５において、ユーザはそのコンテンツの途中再生の位置または途中の時間を把握することができ便利である。
【０１０１】
図２９は、画面部２で表示される再生選択メニュー画面の他の形態を示す図である。この再生選択メニュー画面１９０では、システムコントローラ６１は再生途中のコンテンツの情報をより詳細に表示している。具体的には、システムコントローラ６１は、選択されたコンテンツの再生途中のＩピクチャ１９１を表示している。これにより、再生選択メニュー画面１９０において、ユーザは再生途中で停止したときの画像を把握することができ、便利である。
【０１０２】
図３０は、画面部２で表示されるタイトルメニュー画面の他の形態を示す図である。このタイトルメニュー画面１９５では、システムコントローラ６１は再生途中のコンテンツの情報をより詳細に表示している。具体的には、システムコントローラ６１は、選択されたコンテンツの再生途中の時刻情報のカウンタ表示１９６をしている。例えば、図２１におけるステップ２１１１において、ユーザによって「タイトル一覧へ戻る」が選択されて決定された後に、タイトルメニュー画面１９５を表示すればよい。また、システムコントローラ６１は、カウンタ表示１９６だけでなく、またはカウンタ表示１９６に代えて、再生途中のＩピクチャ画像をタイトルメニュー画面に表示するようにしてもよい。
【０１０３】
本実施の形態によれば、タイトルメニュー画面１９５において、ユーザはそのコンテンツの途中再生の位置または途中の時間を把握することができ便利である。特に、タイトルメニュー画面１９５に示すように複数のコンテンツのタイトルを表示させている場合には、ユーザによってその複数のコンテンツに対しフォーカス表示が変えられるごとにそれぞれのコンテンツについてカウンタ表示等させるようにすることができる。これにより、ユーザにとってわかりやすくなり、利便性を向上させることができる。
【図面の簡単な説明】
【０１０４】
【図１】本発明の一実施形態に係る携帯型ＨＤＤ動画再生装置の外観を示す斜視図である。
【図２】図１の携帯型ＨＤＤ動画再生装置を正面から示した平面図である。
【図３】図１の携帯型ＨＤＤ動画再生装置の断面図である。
【図４】図１の携帯型ＨＤＤ動画再生装置を上から見た平面図である。
【図５】図３の断面図における筐体を示した図である。
【図６】図１の携帯型ＨＤＤ動画再生装置の内部構造を層ごとに示した平面図である。
【図７】メイン基板に実装された回路の構成を示す図である。
【図８】ハードディスクの記憶されたデータ等を示す概念図である。
【図９】タイトル情報のテーブルを示す図である。
【図１０】転送アプリケーションによってＰＣに表示される録画コンテンツの表示ウインドウと転送用のウインドウを示す図である。
【図１１】Ｉピクチャ情報ファイルの構成を示す図である。
【図１２】ＭＰＥＧ２システム・ストリームの構成図である。
【図１３】ＭＰＥＧ２ビデオ・ストリームの構成図である。
【図１４】ＭＰＥＧ２オーディオ・ストリームの構成図である。
【図１５】ＦＡＴファイルシステムが採用されたＨＤＤの記録領域の構成を示す図である。
【図１６】ＨＤＤの実データ領域におけるファイルデータの記録位置を示す図である。
【図１７】ＦＡＴ管理テーブルの例を示す図である。
【図１８】再生テーブルの例を示す図である。
【図１９】再生テーブルに対応した連続するクラスタ群と、動画ストリームデータとが対応していることを示す図である。
【図２０】再生テーブルＩＤ及びＩピクチャ情報ファイルＩＤのテーブルの例を示す図である。
【図２１】動画ストリームの再生動作を示すフローチャートである。
【図２２】直前に再生していた動画ストリーム以外に再生途中の動画ストリームがある場合の再生動作を示すフローチャートである。
【図２３】タイトルメニュー画面の例を示す図である。
【図２４】再生選択メニュー画面（先頭から再生）の例を示す図である。
【図２５】再生選択メニュー画面（途中から再生）の例を示す図である。
【図２６】再生途中のＩピクチャの位置及び時刻のテーブルの例を示す図である。
【図２７】電源が切断後、再び電源を投入する場合の動作を示すフローチャートである。
【図２８】画面部で表示される再生選択メニュー画面の他の形態を示す図である。
【図２９】画面部で表示される再生選択メニュー画面の他の形態を示す図である。
【図３０】画面部で表示されるタイトルメニュー画面の他の形態を示す図である。
【符号の説明】
【０１０５】
２…画面部
３…キー操作部
４…操作ボタン
２４…ＨＤＤ
６１…システムコントローラ
６８…電源回路
１００…ＨＤＤ動画再生装置
１１１…Ｉピクチャ情報ファイル
１３０…動画ストリームデータ
１５６…ＯＳＤソフトウェア
１６０，１９５…タイトルメニュー画面
１６２…フォーカス表示
１７０，１８５，１９０…再生選択メニュー画面
１８６，１９６…カウンタ表示
１９１…Ｉピクチャ
【図１】
2005142942.tif 000003
【図２】
2005142942.tif 000004
【図３】
2005142942.tif 000005
【図４】
2005142942.tif 000006
【図５】
2005142942.tif 000007
【図６】
2005142942.tif 000008
【図７】
2005142942.tif 000009
【図８】
2005142942.tif 000010
【図９】
2005142942.tif 000011
【図１０】
2005142942.tif 000012
【図１１】
2005142942.tif 000013
【図１２】
2005142942.tif 000014
【図１３】
2005142942.tif 000015
【図１４】
2005142942.tif 000016
【図１５】
2005142942.tif 000017
【図１６】
2005142942.tif 000018
【図１７】
2005142942.tif 000019
【図１８】
2005142942.tif 000020
【図１９】
2005142942.tif 000021
【図２０】
2005142942.tif 000022
【図２１】
2005142942.tif 000023
【図２２】
2005142942.tif 000024
【図２３】
2005142942.tif 000025
【図２４】
2005142942.tif 000026
【図２５】
2005142942.tif 000027
【図２６】
2005142942.tif 000028
【図２７】
2005142942.tif 000029
【図２８】
2005142942.tif 000030
【図２９】
2005142942.tif 000031
【図３０】
2005142942.tif 000032
【手続補正書】
【提出日】平成16年9月28日(2004.9.28)
【手続補正１】
【補正対象書類名】特許請求の範囲
【補正対象項目名】全文
【補正方法】変更
【補正の内容】
【特許請求の範囲】
【請求項１】
コンテンツを先頭から再生するための先頭再生、または、前記コンテンツを途中から再生するための途中再生のいずれかを選択させるための再生選択メニューを表示可能な表示部と、
前記表示部に前記コンテンツを表示して再生するための再生手段と、
前記再生選択メニューのうちいずれか１つを選択させるために前記表示部上でフォーカス表示するフォーカス手段と、
前記再生手段によりコンテンツが再生されている途中における電源の切断命令に基づき、再生途中のコンテンツの途中位置の情報を記憶して電源を切断する手段と、
前記電源が投入された場合であって前記途中位置の情報が記憶されているとき、前記表示部に前記再生選択メニューを表示させ、前記フォーカス手段により前記途中再生をフォーカス表示させるように制御する制御部と
を具備することを特徴とする電子機器。
【請求項２】
請求項１に記載の電子機器であって、
前記電源が投入されたとき、前記途中位置の情報が記憶されているか否かを判断し、前記途中位置の情報が記憶されていないと判断した場合に、前記表示部に前記再生選択メニューを表示させ、前記フォーカス手段により前記先頭再生をフォーカス表示させるように制御することを特徴とする電子機器。
【請求項３】
請求項１に記載の電子機器であって、
前記コンテンツの再生位置または再生時間を示すためのカウンタ表示を前記再生選択メニューとともに前記表示部に表示させるカウンタ手段をさらに具備することを特徴とする電子機器。
【請求項４】
請求項１に記載の電子機器であって、
前記制御部が前記途中再生をフォーカス表示させるように制御した場合、当該途中位置のコンテンツの画像を、前記再生選択メニューとともに前記表示部に表示させる手段をさらに具備することを特徴とする電子機器。
【請求項５】
請求項１に記載の電子機器であって、
前記表示部は、前記コンテンツのタイトルを示すためのタイトルメニューを表示可能であり、
前記コンテンツの再生位置または再生時間を示すためのカウンタ表示を前記タイトルメニューとともに前記表示部に表示させるカウンタ手段をさらに具備することを特徴とする電子機器。
【請求項６】
コンテンツの再生及びその停止を制御する再生制御手段と、
前記コンテンツを先頭から再生するための先頭再生、または、前記コンテンツを途中から再生するための途中再生のいずれかを選択させるための再生選択メニューと、前記再生制御手段により前記コンテンツが再生されたときの該コンテンツとを表示可能な表示部と、
前記再生選択メニューのうちいずれか１つを選択させるために前記表示部上でフォーカス表示するフォーカス手段と、
前記再生制御手段により前記コンテンツの再生が途中で停止されたことに基づき、前記再生選択メニューを前記表示部に表示させ、前記フォーカス手段により前記途中再生をフォーカス表示させるように制御する制御部と
を具備することを特徴とする電子機器。
【請求項７】
コンテンツを先頭から再生するための先頭再生、または、前記コンテンツを途中から再生するための途中再生のいずれかを選択させるための再生選択メニューを表示部に表示するステップと、
前記再生選択メニューのうちいずれか１つを選択させるために前記表示部上でフォーカス表示するステップと、
前記再生選択メニューでフォーカス表示された前記コンテンツを再生するステップと、
前記コンテンツが再生されている途中での電源の切断命令に基づき、再生途中のコンテンツの途中位置の情報を記憶して電源を切断するステップと、
前記電源が投入された場合であって前記途中位置の情報が記憶されているとき、前記表示部に前記再生選択メニューを表示させ、前記途中再生をフォーカス表示させるステップと
を具備することを特徴とするフォーカス表示方法。
【請求項８】
コンテンツを先頭から再生するための先頭再生、または、前記コンテンツを途中から再生するための途中再生のいずれかを選択させるための再生選択メニューを表示部に表示するステップと、
前記再生選択メニューのうちいずれか１つを選択させるために前記表示部上でフォーカス表示するステップと、
前記再生選択メニューでフォーカス表示された前記コンテンツを再生するステップと、
前記コンテンツの再生を途中で停止するステップと、
前記コンテンツの再生が途中で停止されたことに基づき、前記再生選択メニューを前記表示部に表示させ、前記途中再生をフォーカス表示させるステップと
を具備することを特徴とするフォーカス表示方法。
【請求項９】
コンテンツを先頭から再生するための先頭再生、または、前記コンテンツを途中から再生するための途中再生のいずれかを選択させるための再生選択メニューを表示部に表示するステップと、
前記再生選択メニューのうちいずれか１つを選択させるために前記表示部上でフォーカス表示するステップと、
前記再生選択メニューでフォーカス表示された前記コンテンツを再生するステップと、
前記コンテンツが再生されている途中での電源の切断命令に基づき、再生途中のコンテンツの途中位置の情報を記憶して電源を切断するステップと、
前記電源が投入された場合であって前記途中位置の情報が記憶されているとき、前記表示部に前記再生選択メニューを表示させ、前記途中再生をフォーカス表示させるステップと
をコンピュータに実行させるプログラム。
【請求項１０】
コンテンツを先頭から再生するための先頭再生、または、前記コンテンツを途中から再生するための途中再生のいずれかを選択させるための再生選択メニューを表示部に表示するステップと、
前記再生選択メニューのうちいずれか１つを選択させるために前記表示部上でフォーカス表示するステップと、
前記再生選択メニューでフォーカス表示された前記コンテンツを再生するステップと、
前記コンテンツの再生を途中で停止するステップと、
前記コンテンツの再生が途中で停止されたことに基づき、前記再生選択メニューを前記表示部に表示させ、前記途中再生をフォーカス表示させるステップと
をコンピュータに実行させるプログラム。
【請求項１１】
複数のコンテンツを記録する記録手段と、
前記記録手段に記録されている前記各コンテンツに関する情報として少なくともタイトルを一覧表示するタイトル一覧表示手段と、
前記コンテンツに対して先頭からの再生を指示するための項目及び前記コンテンツの再生が途中で停止されたときの停止位置からの再生を指示するための項目の少なくとも２つの項目を含む再生選択メニューを表示する再生選択メニュー表示手段と、
前記項目を選択させるためにフォーカス表示するフォーカス手段と、
前記フォーカス手段によりフォーカス表示され選択された前記項目に応じて前記コンテンツを再生する再生処理手段と、
前記停止位置の情報を記憶する停止位置情報記憶手段と、
電源が投入されたときに、前記停止位置の情報に基づいて、最後に再生されていたコンテンツが再生途中で停止されているかを検出する状態検出手段と、
前記状態検出手段により前記最後に再生されていたコンテンツが途中で停止されていたことが検出されたとき、前記電源が投入された直後に前記再生選択メニューを表示させると共に、前記停止位置からの再生を指示する項目を前記フォーカス手段によりフォーカス表示させるように制御する制御手段と
を具備することを特徴とする電子機器。
【請求項１２】
複数のコンテンツを記録部に記録する記録ステップと、
前記記録部に記録されている前記各コンテンツに関する情報として少なくともタイトルを一覧表示するタイトル一覧表示ステップと、
前記コンテンツに対して先頭からの再生を指示するための項目及び前記コンテンツの再生が途中で停止されたときの停止位置からの再生を指示するための項目の少なくとも２つの項目を含む再生選択メニューを表示する再生選択メニュー表示ステップと、
前記項目を選択させるためにフォーカス表示するフォーカスステップと、
前記フォーカスステップによりフォーカス表示され選択された前記項目に応じて前記コンテンツを再生する再生処理ステップと、
前記停止位置の情報を記憶する停止位置情報記憶ステップと、
電源が投入されたときに、前記停止位置の情報に基づいて、最後に再生されていたコンテンツが再生途中で停止されているかを検出する状態検出ステップと、
前記状態検出ステップにより前記最後に再生されていたコンテンツが途中で停止されていたことが検出されたとき、前記電源が投入された直後に前記再生選択メニューを表示させると共に、前記停止位置からの再生を指示する項目をフォーカス表示させるように制御する制御ステップと
を具備することを特徴とするフォーカス表示方法。
【手続補正２】
【補正対象書類名】明細書
【補正対象項目名】００４０
【補正方法】削除
【補正の内容】
【手続補正３】
【補正対象書類名】明細書
【補正対象項目名】００８３
【補正方法】変更
【補正の内容】
【００８３】
図２１は動画ストリームの再生動作を示すフローチャートである。まず、ユーザのＰＷＲキー６２が押されると、電源回路６８によりシステムに電力が投入される（ステップ２１０１）。システムコントローラ６１は、必要なプログラムをＲＯＭ７３から抽出してＲＡＭ７２に展開し、システム起動時の起動画面を画面部２に表示する（ステップ２１０２）。システムコントローラ６１は、ＨＤＤ２４から、上記ＦＡＴ管理テーブル、タイトル情報２１７（図１０参照）、このタイトル情報２１７に基づく動画ストリームごとのタイトルリストのビットマップデータ１５７、ＯＳＤソフトウェア１５６等をバッファメモリ９５上に読み出す。システムコントローラ６１は、ＦＡＴ管理テーブルとして図１８に示したテーブル２１０を読み出し、また、図２０に示したテーブル１７５を読み出す。
【手続補正４】
【補正対象書類名】明細書
【補正対象項目名】００８４
【補正方法】変更
【補正の内容】
【００８４】
システムコントローラ６１は、バッファメモリ９５上に読み出したタイトル情報２１７のカウンタ情報に基づき、再生途中の動画ストリームがあるか否かを判断する（ステップ２１０３）。具体的には、例えば、カウンタ情報が０：００：００か、そうでないかのフラグを立てておき、そのフラグの有無に基づき再生途中の動画ストリームがあるか否かを判断することができる。再生途中の動画ストリームがなければ、システムコントローラ６１は、図２３に示すようなタイトルメニュー（タイトルリスト）画面１６０を表示する（ステップ２１０４）。このとき、システムコントローラ６１は、ＯＳＤソフトウェア１５６を用いて、例えばタイトルリストの最上にあるコンテンツに対してフォーカス表示１６２をする。ユーザにより、操作キー３等が押されることにより、システムコントローラ６１はこのフォーカス表示１６２を図２３中上下に移動させることができる。ユーザにより、ユーザが望むコンテンツが選択され、ＥＮＴＥＲキー３１が押されると（ステップ２１０５）、システムコントローラ６１は、図２４に示すように、再生選択メニュー画面１７０を表示するとともに、ＯＳＤソフトウェア１５６を用いて、選択されたコンテンツの「先頭から再生」をフォーカス表示する（ステップ２１０６）。このように「先頭から再生」をフォーカス表示した状態で、ユーザによりＥＮＴＥＲキー３１または再生ボタン４３が押されると（ステップ２１０７）、システムコントローラ６１は、選択されたコンテンツを先頭から再生する（ステップ２１０８）。具体的には、ステップ２１０８では、システムコントローラ６１は、テーブル１７５を参照し、選択されたコンテンツタイトルに対応する再生テーブルＩＤ及びＩピクチャ情報ファイルＩＤを抽出する。システムコントローラ６１は、抽出した各ＩＤに対応する再生テーブル２１０及びＩピクチャ情報ファイル１１１に基づき、先頭のＩピクチャから順にＨＤＤ２４から読み出して再生する。
【手続補正５】
【補正対象書類名】明細書
【補正対象項目名】００８７
【補正方法】変更
【補正の内容】
【００８７】
ユーザにより、再生途中でコンテンツ再生の停止ボタンが押されとき（ステップ２１０９）、システムコントローラ６１は、以下のように処理する。例えば、システムコントローラ６１は、Ｉピクチャ情報ファイル１１１に基づき、途中で再生が停止されたときの、ＩピクチャのＨＤＤ２４のハードディスク上における位置及び時刻（カウンタ情報）を、例えばバッファメモリ９５に記憶する（ステップ２１１０）。システムコントローラ６１は、例えば図２６で示すように、再生途中のＩピクチャのＨＤＤ２４の位置及び時刻をテーブル１８０として記憶しておけばよい。このテーブル１８０は、上記タイトル情報２１７のテーブルとともに記憶しておくことも可能である。
【手続補正６】
【補正対象書類名】明細書
【補正対象項目名】００９０
【補正方法】変更
【補正の内容】
【００９０】
ステップ２１０３において、システムコントローラ６１が、上記タイトル情報２１７の各コンテンツ中、カウンタ情報が０：００：００でない、すなわち、再生途中のコンテンツがあると判断した場合、図２５に示すように、再生選択メニュー画面を表示するとともに、選択されたコンテンツの「途中から再生」をフォーカス表示する（ステップ２１１１）。この場合、タイトルメニュー画面１６０を表示しない。このように「途中から再生」をフォーカス表示した状態で、ユーザによりＥＮＴＥＲキー３１または再生ボタン４３が押されると（ステップ２１１２）、システムコントローラ６１は、選択されたコンテンツを途中から再生する（ステップ２１１３）。これにより、ユーザは、先頭から再生するか途中から再生するかを考慮する必要がなくなり、そのフォーカス表示された項目を決定するだけでよい。その結果、ユーザにとってわかりやすく便利になる上、操作ミスも軽減することができる。
【手続補正７】
【補正対象書類名】明細書
【補正対象項目名】００９５
【補正方法】変更
【補正の内容】
【００９５】
例えば、コンテンツの再生中において（ステップ２７０１）、ユーザによりＰＷＲキー６２が押されると（電源の切断命令）（ステップ２７０２）、システムコントローラ６１は、途中で再生が停止されたときの、ＩピクチャのＨＤＤ２４のハードディスク上における位置及び時刻を、例えばＨＤＤ２４に記憶する（ステップ２７０３）。この場合、上述したように、システムコントローラ６１は、例えば図２６で示すように、再生途中のＩピクチャのＨＤＤ２４の位置及び時刻をテーブル１８０として記憶しておけばよい。このテーブル１８０は、上記タイトル情報２１７のテーブルとともに記憶しておくことも可能である。この後、システムコントローラ６１は、電源を切断する（ステップ２７０４）。